(57)【特許請求の範囲】
【請求項１】
所定の回動中心の回りを回動し得るように頭部保護体に取付けられたシールド板と、
上記回動中心をその中心としてほゞ円弧状になるように上記シールド板に形成されたほゞ円弧状のガイド溝と、
上記シールド板の回動に応じて上記ガイド溝に沿って相対的に摺動し得るようにこのガイド溝に挿入されて上記頭部保護体に取付けられたほゞ筒状の位置保持手段とを備えたヘルメットのシールド板取付け機構において、
上記位置保持手段の上下両端部に第１および第２の弾性付与用切込みを上下にほゞ対向するように形成することによって、これら第１および第２の弾性付与用切込みの間において上記位置保持手段に屈曲容易部が設けられ、
上記位置保持手段が設けられた取付け基材を備え、
上記取付け基材が基体部と上記位置保持手段とこれらの基体部および位置保持手段を連結している連結部とを有し、
上記基体部が上記シールド板を上記頭部保護体に回動可能に軸支する支軸により上記頭部保護体に取付けられて上記頭部保護体と上記シールド板との間に配されており、
上記屈曲容易部が上記回動中心側とは反対の側において上記位置保持手段に設けられ、
上記第１の弾性付与用切込みおよび第２の弾性付与用切込みのそれぞれが上記ほゞ筒状の位置保持手段の７０°〜１１０°のうちのいずれかの角度範囲にわたって設けられ、
上記第１の弾性付与用切込みの深さと上記第２の弾性付与用切込みの深さとの合計の深さが上記ほゞ筒状の位置保持手段の高さの２／５〜２／３であることを特徴とするヘルメットのシールド板取付け機構。
【請求項２】
上記ガイド溝がその一端に設けられた全閉位置用保持孔部と、その他端に設けられた全開位置用保持孔部と、上記全閉位置用保持孔部に近接して設けられたデフロスト位置用保持孔部と、このデフロスト位置用保持孔部と上記全開位置用保持孔部とを連通させており上記回動中心をその中心とするほゞ円弧状でかつほゞ等幅な円弧溝部とを有し、
上記全閉位置用、上記デフロスト位置用および上記全開位置用の各保持孔部が上記ほゞ筒状の位置保持手段をそのほゞ原形のまゝで相対的に位置保持させ得るように構成され、
上記円弧溝部が上記ほゞ筒状の位置保持手段を弾性的に挾持して相対的に位置保持させ得るように構成したことを特徴とする請求項１に記載のヘルメットのシールド板取付け機構。
【請求項３】
上記全閉位置用、上記デフロスト位置用および上記全開位置用の各保持孔部がそれぞれほゞ円形であり、
上記全閉位置用保持孔部の中心と上記全開位置用保持孔部の中心との上記回動中心に対して成す角度が３０°〜６０°のうちのいずれかであり、
上記全閉位置用保持孔部の中心と上記デフロスト位置用保持孔部の中心との上記回動中心に対して成す角度が６°〜１５°であり、
上記円弧溝部の上記回動中心に対して成す角度が１５°〜３５°であることを特徴とする請求項２に記載のヘルメットのシールド板取付け機構。
【請求項４】
第１および第２の弾性付与用切込みが上記ほゞ筒状の位置保持手段の上記回動中心側とは反対の側における上下両端部に上下にほゞ対向するように形成され、
上記ガイド溝の上記回動中心側の縁部である内周側縁部が上記全閉位置用保持孔部から上記全開位置用保持孔部まで上記回動中心を中心とするほゞ円弧状でかつほゞ滑らかな曲線であることを特徴とする請求項２または３に記載のヘルメットのシールド板取付け機構。
【発明の詳細な説明】
【０００１】
【発明の属する技術分野】
本発明は、自動二輪車のライダなどのヘルメット装着者が頭部の保護などのために頭部に装着する頭部保護体を備えたヘルメットにおいて、風防、日よけなどのためのシールド板を上記頭部保護体に所定の範囲で回動可能に取り付けるようにしたシールド板取付け機構に関するものである。
【０００２】
【従来の技術】
上述のようなヘルメットのシールド板取付け機構として、例えば、実公昭５７−１３３０２号公報に記載されたものが従来から知られている。
【０００３】
この実公昭５７−１３３０２号公報に記載されたヘルメットのシールド板取付け機構（以下、「従来のシールド板取付け機構」という）は、ヘルメットの頭部保護体の前面に取付けられた帯状の基板を備え、シールド板の左右両側が左右一対の取付け軸によりこの基板に回動自在に取り付けられている。また、上記基板と上記シールド板との間には中間座板が介装され、この中間座板の外側面に突設された回り止め用の突起部は上記シールド板の開孔に嵌合され、このために、上記中間座板は上記シールド板と一体に回動するようになっている。
【０００４】
さらに、従来のシールド板取付け機構においては、上記取付け軸を中心として円弧状に構成されたガイド溝が上記基板に設けられ、このガイド溝には上記中間座板の内側面に一体に突設された弾性筒体が係合している。そして、上記円弧状ガイド溝はその一端から他端まで複数の円孔を僅かずつ重ね合せた形状となっており、このために、このガイド溝には円孔と円孔との間にそれぞれ幅狭部が形成されている。
【０００５】
上述のように構成された従来のシールド板取付け機構においては、シールド板をヘルメットの頭部保護体に対して開閉させることにより、上記弾性筒体を上記円弧状ガイド溝に沿って往復動させて上記複数の円孔のいずれか１つに嵌合させるようにしている。したがって、シールド板をこれら複数の円孔のうちのいずれか１つに対応した所定の停止位置（すなわち、全閉位置、６／１開放位置、１／３開放位置、半開位置、２／３開放位置、５／６開放位置または全開位置）に位置保持させることができる。
【０００６】
【発明が解決しようとする課題】
しかし、従来のシールド板取付け機構によれば、上記円弧状ガイド溝を構成する複数の円孔のいずれか１つに対応した所定の停止位置にしかシールド板を位置保持させることができないので、シールド板をヘルメットの頭部保護体に対する任意の半開位置に位置保持させることができない。また、シールド板をヘルメットの頭部保護体に対して大きな角度で開放または閉塞させる場合には、上記弾性筒体を上記複数の円孔および上記複数の幅狭部に沿ってガタガタさせながら移動させる必要があるので、シールド板の開閉操作におけるクリック感が良くない。
【０００７】
本発明は、従来のシールド板取付け機構の上述のような欠点をきわめて簡単な構成によりきわめて効果的に是正し得るようにしたものである。
【０００８】
【課題を解決するための手段】
本発明は、所定の回動中心の回りを回動し得るように頭部保護体に取付けられたシールド板と、上記回動中心をその中心としてほゞ円弧状になるように上記シールド板に形成されたほゞ円弧状のガイド溝と、上記シールド板の回動に応じて上記ガイド溝に沿って相対的に摺動し得るようにこのガイド溝に挿入されて上記頭部保護体に取付けられたほゞ筒状の位置保持手段とを備えたヘルメットのシールド板取付け機構において、上記位置保持手段の上下両端部に第１および第２の弾性付与用切込みを上下にほゞ対向するように形成することによって、これら第１および第２の弾性付与用切込みの間において上記位置保持手段に屈曲容易部が設けられ、上記位置保持手段が設けられた取付け基材を備え、上記取付け基材が基体部と上記位置保持手段とこれらの基体部および位置保持手段を連結している連結部とを有し、上記基体部が上記シールド板を上記頭部保護体に回動可能に軸支する支軸により上記頭部保護体に取付けられて上記頭部保護体と上記シールド板との間に配されており、上記屈曲容易部が上記回動中心側とは反対の側において上記位置保持手段に設けられ、上記第１の弾性付与用切り込みおよび第２の弾性付与用切込みのそれぞれが上記ほゞ筒状の位置保持手段の７０°〜１１０°のうちのいずれかの角度範囲にわたって設けられ、上記第１の弾性付与用切込みの深さと上記第２の弾性付与用切込みの深さとの合計の深さが上記ほゞ筒状の位置保持手段の高さの２／５〜２／３であることを特徴とするヘルメットのシールド板取付け機構に係るものである。このように構成された本発明によれば、きわめて簡単な構成であるにもかゝわらず、シールド板に形成されたほゞ円弧状のガイド溝に沿ってほゞ筒状の位置保持手段を相対的に摺動させる操作をきわめて簡単かつきわめて確実に行うことができる。
【０００９】
また、本発明においては、上記ガイド溝がその一端に設けられた全閉位置用保持孔部と、その他端に設けられた全開位置用保持孔部と、上記全閉位置用保持孔部に近接して設けられたデフロスト位置用保持孔部と、このデフロスト位置用保持孔部と上記全開位置用保持孔部とを連通させており上記回動中心をその中心とするほゞ円弧状でかつほゞ等幅な円弧溝部とを有し、上記全閉位置用、上記デフロスト位置用および上記全開位置用の各保持孔部が上記ほゞ筒状の位置保持手段をそのほゞ原形のまゝで相対的に位置保持させ得るように構成され、上記円弧溝部が上記ほゞ筒状の位置保持手段を弾性的に挾持して相対的に位置保持させ得るように構成されていてよい。このように構成されていれば、シールド板をその全閉位置、デフロスト位置および全開位置でそれぞれきわめて確実に位置保持させ得るとともに、デフロスト位置と全開位置との中間の位置である任意の半開位置でも位置保持させることができ、さらに、デフロスト位置から全開位置までおよび全開位置からデフロスト位置まで回動板を開閉させる開閉操作をきわめて円滑に行うことができかつそのクリック感もきわめて良好である。
【００１０】
【発明の実施の形態】
つぎに、本発明をフルフェイス型ヘルメットのシールド板取付け機構に適用した一実施例を図１〜図１０を参照して説明する。
【００１１】
フルフェイス型ヘルメットは、図１に示すように、自動二輪車のライダなどのヘルメット装着者の頭部に装着されるフルフェイス型の頭部保護体１と、ヘルメット装着者の額部と顎部との間（すなわち、顔面の中央部分）に対向するように頭部保護体１の前面に形成された窓孔３を開閉し得るシールド板５と、頭部保護体１の内側にそれぞれ取付けられた左右一対の顎掛け用バンド（図示せず）とから成っている。そして、頭部保護体１のうちのヘルメット装着者の顎部と対向する部分には、頭部保護体１内の換気を行うためのベンチレータ６が設けられている。また、シールド板５は、風防のためにヘルメットに設けられるものであるが、必要に応じて、透光性を阻害しないように着色されて日よけ（すなわち、バイザー）を兼用することもでき、ポリカーボネート、その他の合成樹脂などの透明または半透明の硬質材料から成っていてよい。さらに、シールド板５の左右両側は、頭部保護体１の外周壁を構成する外側シェル７に左右一対のシールド板取付け機構９により回動自在に取付けられている。
【００１２】
なお、外側シェル７は、ＦＲＰ、その他の合成樹脂などの強度の大きい硬質材料から成っていてよい。また、右側（ヘルメットの前面に向って左側）のシールド板取付け機構は、後述のような指掛け部１１、めねじ部材１２（外側シェル７に設けられたその取付け孔を含む）、係止用ピン１３、係止用孔１５およびガイド用切欠き１７が設けられていない点を除いて、左側のシールド板取付け機構と左右対称的に構成されているので、以下において、左側のシールド板取付け機構についてのみ説明する。
【００１３】
シールド板取付け機構９は、図２および図９に示すように、シールド板５とともに外側シェル７に取付けられる取付け基材１９を備えている。そして、この取付け基材１９は、ほゞリング状の基体部２１と、位置保持手段としてのほゞ円筒状の筒体部２３と、基体部２１と筒体部２３とを連結している細板状の連結部２５と、筒体部２３と連結部２５とにまたがって左右両側にえら（鰓）状に形成されている左右一対の補強部２７とを有し、これらの各部２１、２３、２５、２７がポリアセタール樹脂、その他の合成樹脂などの多少弾性を有する材料から互いに一体に成形されている。また、基体部２１の表面には、その中心孔２９に連なる有底の一対の係止用溝３１が相対向して設けられ、基体部２１の裏面には、滑り止めのための多数の突条部（図示せず）が放射状に一体成形されている。また、筒体部２３の上端部には、幅が比較的狭い左右一対の係止用スリット３３と、これら一対の係止用スリット３３の間に設けられた幅が比較的広いほゞ長方形状の弾性付与用切込み３５とがそれぞれ設けられ、筒体部２３の下端部には、上記弾性付与用切込み３５と上下にほゞ対向した位置において、幅が比較的広いほゞ長方形状の弾性付与用切込み３７が設けられている。したがって、これらの切込み３５、３７の間にやゝ細幅で弾性的に変形し易い帯状の屈曲容易部３８が形成されている。
【００１４】
上側の弾性付与用切込み３５および下側の弾性付与用切込み３７は、必ずしもほゞ長方形状である必要はなく、ほゞＵ字状、ほゞ半長円形状、ほゞ半楕円形状、ほゞ半円形状などの他の形状であってもよい。さらに、補強部２５の裏面と、筒体部２３の裏面のうちのこの補強部２５と対応する一部分とにまたがって滑り止めのための多数の突条部（図示せず）が対射状に一体成形されている。
【００１５】
上側の弾性付与用切込み３５および下側の弾性付与用切込み３７は、筒体部２３（特に、基体部２１側から見て筒体部２３の先端側の部分、換言すれば、シールド板５の回動中心側とは反対の側の部分）に良好な弾性を付与するためのものであって、図２に示すように、この先端側に設けられている。そして、これらの切り込み３５、３７は、図示の実施例においては、図５に示すように、筒体部２３の約９０°の角度範囲θ１にわたって設けられているが、この角度範囲θ１は、実用性の見地から、７０°〜１１０°のうちのいずれかである。また、これらの切り込み３５、３７は、図５に示すように、基体部２１の中心と筒体部２３の中心とを結ぶ直線Ｌに対して左右ほゞ同角度の角度範囲に設けられるのが好ましく、図示の実施例においては、この左側および右側の角度範囲はそれぞれ約４５°である。さらに、上側の弾性付与用切込み３５の深さＤ１は、図示の実施例においては、図１０に示すように筒体部２３の高さ（すなわち、図１０の上下方向の長さ）Ｈの約１／８であるが、一般的には、実用性の見地から、高さＨの１／１２〜１／４であるのが好ましく、高さＨの１／１０〜１／６であるのがさらに好ましい。また、下側の弾性付与用切込み３７の深さＤ２は、図示の実施例においては、図１０に示すように高さＨの約３／８であるのが、一般的には、実用性の見地から、高さＨの１／４〜３／４であるのが好ましく、高さＨの３／１０〜１／２であるのがさらに好ましい。また、上側の弾性付与用切込み３５の深さＤ１と下側の弾性付与用切込み３７の深さＤ２との合計の深さ（Ｄ１＋Ｄ２）は、図示の実施例においては、高さＨの約１／２であるが、実用性の見地から、高さＨの２／５〜２／３である。
【００１６】
外側シェル７には、図９に示すように、取付け基材１９の基体部２１および筒体部２３にそれぞれ対応して一対の取付け孔がそれぞれ形成され、これら一対の取付け孔には、軟鉄、その他の金属などの硬質材料から成る一対のめねじ部材４１、４２がそれぞれ嵌合固定されている。そして、外側シェル７の外周面には、合成ゴム、その他の弾性に富んだ材料からなる一対のワッシャ４４、４５が一対のめねじ部材４１、４２を取り囲むように接着固定されている。また、外側シェル７には、図７に示すように別の取付け孔が形成され、この取付け孔には、別のめねじ部材１２が嵌合固定され、このめねじ部材１２には、アルミニウム、その他の金属などの硬質材料から成る係止用ピン１３がねじ込み固定されている。
【００１７】
シールド板５は、図２に示すように、取付け基材１９の基体部２１に対応したほゞ円形の取付け孔３９と、取付け基材１９の筒体部２３に対応するように取付け孔３９を中心としてほゞ円弧状に構成されたガイド溝４７と、外側シェル７に設けられた係止用ピン１３に対応したほゞ長円形状の係止用孔１５と、この係止用孔１５に隣接してシールド板５の内側面に設けられたガイド用切欠き１７とを有している。また、シールド板５には、図７に示すように、ティアオフ用（すなわち、使い捨て用）のシールドフィルム（図示せず）を係止するための合成樹脂製などの係止用ボタン４９がねじ５１により取付け固定され、シールド板５を往回動させるときにヘルメット装着者が指でこのシールド板５を押し上げるのに用いる合成樹脂製などの指掛け部１１も同様にねじ（図示せず）により取付け固定さている。
【００１８】
円弧状ガイド溝４７は、図４に示すように、その両端に全閉位置用保持孔部４７ａおよび全開位置用保持孔部４７ｂをそれぞれ有し、また、上記全閉位置用保持孔部４７ａに少し重ね合わされたデフロスト位置用保持孔部４７ｃをさらに有している。そして、デフロスト位置用保持孔部４７ｃと全開位置用保持孔部４７ｂとの間には、ほゞ円弧状でほゞ等幅な円弧溝部４７ｄが形成されている。また、円弧状ガイド溝４７の内周側の縁部（すなわち、取付け孔３９側の縁部）は、全閉位置用保持孔部４７ａから全開位置用保持孔部４７ｂまでほゞ滑らかな曲線（すなわち、ほゞ円弧状）になっている。そして、円弧状ガイド溝４７の外周側の縁部（すなわち、取付け孔３９側とは反対側の縁部）は、全閉位置用保持孔部４７ａとデフロスト位置用保持孔部４７ｃとのさかい目、デフロスト位置用保持孔部４７ｃと円弧溝部４７ｄとのさかい目および円弧溝部４７ｄと全開位置用保持孔部４７ｂとのさかい目にそれぞれガイド溝４７側に突出した突起状の折曲部５３、５４、５５を有している。そして、円弧溝部４７ｄの外周縁部のみがほゞ滑らかな曲線（すなわち円弧）となっている。
【００１９】
円弧状ガイド溝４７の全閉位置保持孔部４７ａの中心と全開位置用保持孔部４７ｂの中心との取付け孔３９の中心に対して成す角度θ２は、図示の実施例においては、図４に示すように約４５°であるが、一般的には、実用性の見地から、３０°〜６０°のうちのいずれかであるのが好ましく、３５°〜５５°のうちのいずれかであるのがさらに好ましい。また、全閉位置用保持孔部４７ａの中心とデフロスト位置用保持孔部４７ｃの中心との取付け孔３９の中心に対して成す角度θ３は、図示の実施例においては、図４に示すように約１０°であるが、一般的には、実用性の見地から、６°〜１５°のうちのいずれかであるのが好ましく、８〜１３°のうちのいずれかであるのがさらに好ましい。また、角度θ２に対する角度θ３の比（すなわち、θ３／θ２）は、図示の実施例においては、図４に示すように２／９であるが、一般的には、実用性の見地から、１／９〜４／９のうちのいずれかであるのが好ましく、３／１８〜３／９のうちのいずれかであるのがさらに好ましい。さらに、円弧溝部４７ｄの取付け孔３９の中心に対して成す角度（換言すれば、一対の折曲部５４、５５の取付け孔３９の中心に対して成す角度）θ４は、図示の実施例においては、図６に示すように約２３°であるが、一般的には、実用性の見地から、１５°〜３５°のうちのいずれかであるのが好ましく、１８°〜３０°のいずれかであるのがさらに好ましい。また、保持孔部４７ａ、４７ｂ、４７ｃの直径に対すると円弧溝部４７ｄの幅の比（この比は、取付け基材１９の筒体部２３の直径に対する円弧溝部４７ｄの幅の比とほゞ同一である）は、約９３／１００であるが、一般的には、実用性の見地から、８０／１００〜９７／１００のうちのいずれかであるのが好ましく、８５／１００〜９５／１００のうちのいずれかであるのがさらに好ましい。
【００２０】
保持孔部４７ａ、４７ｂ、４７ｃは、図示の実施例においては、取付け基材１９の筒体部２３の形状とほゞ同一かまたは僅かに大きいほゞ円形であるが、必ずしも円形である必要はなく、上記筒体部２３と同様に、ほゞ楕円形、ほゞ長円形、角部に丸みをつけたほゞ長方形などであってもよく、特に、上記筒体部２３の形状の変更に合わせて任意に変更するのが好ましい。
【００２１】
つぎに、シールド板５および取付け基材１９を外側シェル７に取付ける操作について説明する。なお、この取付け操作に際しては、一対のねじ５７、５８および一対のワッシャ６０、６１が取付け部品として用いられる。なお、上記ねじ５７、５８およびワッシャ６０は、ポリカーボネート樹脂、ポリアセタール樹脂、その他の合成樹脂、アルミニウム、その他の金属などから成っていてよく、ワッシャ６１も、ポリカーボネート樹脂、ポリアセタール樹脂、その他の合成樹脂などから成っていてよい。
【００２２】
まず、支軸としてのねじ５７をその先端側からワッシャ６０の中心孔、シールド板５の取付け孔３９および取付け基材１９の基体部２１の中心孔２９に順次挿入させて外側シェル７のめねじ部材４１にねじ込み固定する（図１０参照）。この場合、取付け基材１９の筒体部２３の上端部をシールド板５の円弧状ガイド溝４７に挿入させ、ワッシャ６０の下面に突出させた一対の突起部６０ａを基体部２１の一対の係止用溝３１に嵌合させる。この結果、ワッシャ６０および取付け基材１９の基体部２１は、図１０に示すように、ねじ５７の頭部により外側シェル７のワッシャ４１に押し付け固定され、シールド板５は、ワッシャ６０を支軸（すなわち、ワッシャ６０の中心軸を回動中心）として回動し得るように、取付け基材１９の基体部２１の表面とワッシャ６０の頭部との間で保持される。
【００２３】
つぎに、固定軸としてのねじ５８をその先端側からワッシャ６１の中心孔および取付け基材１９の筒体部２３の中心孔（この場合、シールド板５の円弧状ガイド溝４７を含む）に順次挿入させて外側シェル７のめねじ部材４２にねじ込み固定する（図１０参照）。この場合、ワッシャ６１の下面に突出させた一対の突起部６１ａを筒体部２３の一対の係止用スリット３３に嵌合させる。この結果、ワッシャ６１および取付け基材１９の筒体部２３は、図１０に示すように、ねじ５８の頭部により外側シェル７のワッシャ４５に押付け固定され、シールド板５は、その円弧状ガイド溝４７の内周側および外周側縁部を筒体部２３の外周囲に摺接させながら移動し得るように、取付け基材１９の筒体部２３の表面とワッシャ６１との間に保持される。そして、この状態においては、屈曲容易部３８は、ほゞ円弧状のガイド溝４７の長さ方向とはほゞ直交する方向側において、取付け基材１９の筒体部２３に設けられている。
【００２４】
上述のように構成されたフルフェイス型ヘルメットによれば、取付け基材１９の筒体部２３がシールド板５の円弧状ガイド溝４７に沿って相対的に摺動するようにシールド板５をねじ５７およびワッシャ６０を支軸として往復回動させることにより、次に述べるように、シールド板５を全閉位置、デフロスト位置（すなわち、くもり止め、くもり取り、霜止めまたは霜取り位置）、任意の半開位置および全開位置にそれぞれ位置保持させることができる。
【００２５】
すなわち、筒体部２３を図６および図１０に示すようにガイド溝４７の全閉位置用保持孔部４７ａにそのほゞ原形のまゝで嵌合保持させたときには、シールド板５は全閉位置にあり、外側シェル７の係止用ピン１３はシールド板５の係止用孔１５に挿入されており、このために、シールド板５はこの全閉位置に確実に保持される。この場合、シールド板５の内側面に設けられたガイド用切欠き１７は図７に示すようにシールド板５の下端から上方に向ってだんだん浅くなるように傾斜しているので、係止用ピン１３をこの切欠き１７を摺動させてからきわめて容易かつきわめて確実に係止用孔１５に挿入させることができる。
【００２６】
この全閉状態（図１、図３の鎖線、図６、図８および図１０に示す状態）において、図３の実線および図７に示すように、ヘルメット装着者がシールド板５の指掛け部１１に指を掛けてシールド板５を斜め上方に押し上げて往回動させると、係止用ピン１３が係止用孔１５から相対的に離脱すると共に、筒体部２３がデフロスト位置用保持孔部４７ｃに同様に嵌合保持されるので、シールド板５は頭部保護体１の窓孔３を多少開放したデフロスト位置に移動する。さらに、シールド板５を往回動させると、筒体部２３はデフロスト位置用保持孔部４７ｃから円弧溝部４７ｄを通って全開位置用保持孔部４７ｂへと円弧状ガイド溝４７を相対的に移動する。そして、筒体部２３が比較的幅狭な折曲部５３および円弧溝部４７ｄを相対的に通過するときには、筒体部２３が図５の直線Ｌ方向の径を縮小させるので、上記通過が円滑に行われる。
【００２７】
この場合、筒体部２３の上側切込み３５を除く上端面はワッシャ６１に圧接し、筒体部２３の下側切込み３７を除く下端面はワッシャ４５に圧接し、さらに、筒体部２３の下端部の取付け孔３９側には、一対の補強部２７および連結部２５がそれぞれ連設されている。したがって、上述のような筒体部２３の径の縮小は、主として屈曲容易部３８が屈曲変形することにより達成される。また、上記円弧溝部４７ｄを相対的に通過する際には、この円弧溝部４７ｄがほゞ滑らかな円弧状であるためにこの移動が円滑に行われて違和感がないので、シールド板５の開閉操作のクリック感がきわめて良好である。さらに、筒体部２３を上記円弧溝部４７ｄの任意の位置に保持させたときに、筒体部２３の弾性復元力によりこの筒体部２３を円弧溝部４７ｄの任意の位置において弾性的に挾持された状態で比較的良好に位置保持させることができる。したがって、頭部保護体１の窓孔３を多少開放したデフロスト位置および全開した全開位置にシールド板５を確実に位置保持させることができ、さらに、両者の中間の位置である任意の半開位置にもシールド板５をほゞ確実に位置保持させることができる。
【００２８】
以上において、本発明の一実施例につき詳細に説明したが、本発明は、この実施例に限定されるものではなく、特許請求の範囲に記載された発明の趣旨に基づいて各種の変更および修正が可能である。
【００２９】
例えば、上述の実施例においては、フルフェイス型ヘルメットのシールド板取付け機構に本発明を適用したが、ジェット型、セミジェット型などのヘルメットにも本発明を適用することができできる。
【００３０】
また、上述の実施例においては、上側の弾性付与用切込み３５と下側の弾性付与用切込み３７との間に単一の屈曲容易部３８を形成するようにしたが、上記弾性付与用切込み３５、３７にその上下方向においてほゞ対応している横長のスリットをこれらの切込み３５、３７の間に１本または複数本設けることによって、屈曲容易部を複数形成するようにしてもよい。また、上記スリットに代えて、または、上記スリットに加えて、屈曲変易部に複数の小孔を形成してもよい。
【００３１】
さらに、上述の実施例において、シールド板５をそのデフロスト位置で確実に位置保持させる必要がなければ、デフロスト位置用保持孔部４７ｃを省略することができる。この場合、ほゞ円弧状のガイド溝４７の外周側の縁部は、突起状折曲部５３から突起状折曲部５５までほゞ滑らかな曲線（すなわち、ほゞ円弧状）になっているので、全閉位置用保持孔部４７ａと全開位置用保持孔部４７ｂとの間に、ほゞ円弧状でほゞ等幅な円弧溝部４７ｄが形成される。
【００３２】
【発明の効果】
本発明によれば、シールド板に形成されたほゞ円弧状のガイド溝に沿って相対的に摺動するほゞ筒状の位置保持手段が、その上下両端部に上下にほゞ対向するように形成された第１および第２の弾性付与用切込みの間に屈曲容易部を有している。したがって、上記ほゞ円弧状のガイド溝に沿って上記ほゞ筒状の位置保持手段を相対的に摺動させる操作をきわめて簡単かつきわめて確実に行うことができる。また、頭部保護体に回動自在に取付けられたシールド板と、このシールド板に形成されたほゞ円弧状のガイド溝と、頭部保護体に取付けられこのほゞ円弧状のガイド溝に沿って相対的に摺動するほゞ筒状の位置保持手段とを備えた機構において、上記位置保持手段の上下両端部に上下一対の弾性付与用切込みを上下にほゞ対向するように形成することによってこれら第１および第２の弾性付与用切込みの間に屈曲容易部を設けたものであるから、その構成がきわめて簡単である。
【００３３】
また、請求項２〜４に記載した発明によれば、ほゞ円弧状のガイド溝の全閉位置用、デフロスト位置用および全開位置用の各保持孔部がほゞ筒状の位置保持手段をそのほゞ原形のまゝで相対的に位置保持させることができ、また、上記ガイド溝の円弧溝部が上記ほゞ筒状の位置保持手段を弾性的に挾持して相対的に位置保持させることができる。したがって、シールド板をその全閉位置、デフロスト位置および全開位置でそれぞれきわめて確実に位置保持させ得るとともに、デフロスト位置と全開位置との中間の位置である任意の半開位置でも位置保持させることができ、さらに、デフロスト位置から全開位置までおよび全開位置からデフロスト位置までシールド板を開閉させる開閉操作をきわめて円滑に行うことができかつそのクリック感もきわめて良好である。
【図面の簡単な説明】
【図１】  本発明をフルフェイス型ヘルメットのシールド板取付け機構に適用した一実施例におけるヘルメット全体の斜視図である。
【図２】  図１のヘルメットの左側のシールド板取付け機構の要部の分解斜視図である。
【図３】  シールド板をデフロスト位置まで多少開放した状態における図２のシールド板取付け機構の正面図である。
【図４】  シールド板をデフロスト位置と全開位置との中間の位置までさらに開放した状態における図３のシールド板取付け機構の要部を示す図３と同様の図である。
【図５】  シールド板を全開位置まで全開した状態における図４と同様の図である。
【図６】  シールド板を全閉位置まで全閉した状態における図４と同様の図である。
【図７】  図３のＡ−Ａ線に沿った断面図である。
【図８】  図３において仮想線で示す状態におけるシールド板取付け機構の図３のＡ−Ａ線に沿った断面図である。
【図９】  図４のＢ−Ｂ線に沿った断面図である。
【図１０】  図６のＣ−Ｃ線に沿った断面図である。
【符号の説明】
１              頭部保護体
５              シールド板
１９              取付け基材
２１              基体部
２３              筒体部（位置保持手段）
２５              連結部
３５              上側弾性付与用切込み（第１の弾性付与用切込み）
３７              下側弾性付与用切込み（第２の弾性付与用切込み）
３８              屈曲容易部
４７              ほゞ円弧状のガイド溝
４７ａ            全閉位置用保持孔部
４７ｂ            全開位置用保持孔部
４７ｃ            デフロスト位置用保持孔部
４７ｄ            円弧溝部
５７              ねじ（支軸）
【図１】
0003891623.tif 000002
【図２】
0003891623.tif 000003
【図３】
0003891623.tif 000004
【図４】
0003891623.tif 000005
【図５】
0003891623.tif 000006
【図６】
0003891623.tif 000007
【図７】
0003891623.tif 000008
【図８】
0003891623.tif 000009
【図９】
0003891623.tif 000010
【図１０】
0003891623.tif 000011